(57)【要約】単一の受信機が、異なるソースから一度に発信される複数のプロトコル・データ・ユニットを収集しうる。より高い優先度のプロトコル・データ・ユニットが処理されることが望ましい一方、データ・ユニットの一部を失うと、受信機を混乱に招く。したがって、低い優先度のデータ・ユニットが処理されている間に、高い優先度のプロトコル・データ・ユニットが受信機に送られても、高い優先度のデータ・ユニットが処理される前に、低い優先度のデータ・ユニットの処理が完了しうる。したがって、プロトコル・データ・ユニット間の混乱の可能性がより低くなりうる。
2010530191.tif 000002
【特許請求の範囲】
【請求項１】
プロトコル・データ・ユニット通信を管理する方法であって、
最初のプロトコル・データ・ユニットの転送の開始を識別することと、
前記最初のプロトコル・データ・ユニットの終了部分を収集するまで、少なくとも１つの次のプロトコル・データ・ユニットの転送を拒否することと
を備える方法。
【請求項２】
前記次のプロトコル・データ・ユニットは、前記最初のプロトコル・データ・ユニットよりも高い優先度レベルからなる請求項１に記載の方法。
【請求項３】
前記最初のプロトコル・データ・ユニットの終了部分を認識することをさらに備える請求項１に記載の方法。
【請求項４】
前記次のプロトコル・データ・ユニットの転送を開始することをさらに備える請求項３に記載の方法。
【請求項５】
少なくとも１つの次のプロトコル・データ・ユニットの優先度レベルを分類することをさらに備える請求項３に記載の方法。
【請求項６】
前記最初のプロトコル・データ・ユニットの転送の終了を認識すると、転送するべき前記分類された次のプロトコル・データ・ユニットを選択することをさらに備え、
前記次のプロトコル・データ・ユニットを選択することは、前記次のプロトコル・データ・ユニットの優先度レベルに応じてなされる請求項５に記載の方法。
【請求項７】
前記最初のプロトコル・データ・ユニットの転送の終了後、次のプロトコル・データ・ユニットのグループから、転送するべき次のプロトコル・データ・ユニットを調整することをさらに備え、
前記次のプロトコル・データ・ユニットのグループは、ほぼ等しい優先度レベルを有する請求項６に記載の方法。
【請求項８】
前記最初のプロトコル・データ・ユニットの終了部分が収集されるまで、少なくとも１つの次のプロトコル・データ・ユニットの転送を拒否することは、前記最初のプロトコル・データ・ユニットのオーナシップが、前記最初のプロトコル・データ・ユニットのヘッダ以外から推論されない場合になされる請求項１に記載の方法。
【請求項９】
この仮定は、時間分析、人工知能技術、補足通信、またはこれらの組み合わせに基づく請求項８に記載の方法。
【請求項１０】
前記次のプロトコル・データ・ユニットを送信するデバイスと通信することをさらに備え、
前記通信は、前記デバイスに対して、前記次のプロトコル・データ・ユニットの状況を通知する請求項１に記載の方法。
【請求項１１】
無線通信装置であって、
最初のプロトコル・データ・ユニットの転送の開始を識別するエスタブリッシャ（establisher）と、
前記最初のプロトコル・データ・ユニットの終了部分を収集するまで、少なくとも１つの次のプロトコル・データ・ユニットの転送を拒否するレギュレータ（regulator）と
を備える装置。
【請求項１２】
前記次のプロトコル・データ・ユニットは、前記最初のプロトコル・データ・ユニットよりも高い優先度レベルからなる請求項１１に記載の装置。
【請求項１３】
前記最初のプロトコル・データ・ユニットの終了部分を認識するオーセンティケータ（authenticator）をさらに備える請求項１１に記載の装置。
【請求項１４】
前記次のプロトコル・データ・ユニットの転送を開始するスタータ（starter）をさらに備える請求項１３に記載の装置。
【請求項１５】
少なくとも１つの次のプロトコル・データ・ユニットの優先度レベルを分類するクラシファイヤ（classifier）をさらに備える請求項１３に記載の装置。
【請求項１６】
前記最初のプロトコル・データ・ユニットの転送の終了を認識すると、転送するべき前記分類された次のプロトコル・データ・ユニットを選択するエレクタ（elector）をさらに備え、
前記次のプロトコル・データ・ユニットを選択することは、前記次のプロトコル・データ・ユニットの優先度レベルに応じてなされる請求項１５に記載の装置。
【請求項１７】
前記最初のプロトコル・データ・ユニットの転送の終了後、次のプロトコル・データ・ユニットのグループから、転送するべき次のプロトコル・データ・ユニットを調整するリゾルバ（resolver）をさらに備え、
前記次のプロトコル・データ・ユニットのグループは、ほぼ等しい優先度レベルを有する請求項１６に記載の装置。
【請求項１８】
前記レギュレータは、前記最初のプロトコル・データ・ユニットのオーナシップが、前記最初のプロトコル・データ・ユニットのヘッダ以外から推論されない場合に、前記最初のプロトコル・データ・ユニットの終了部分が収集されるまで、少なくとも１つの次のプロトコル・データ・ユニットの転送を拒否する請求項１１に記載の装置。
【請求項１９】
この仮定は、時間分析、人工知能技術、補足通信、またはこれらの組み合わせに基づく請求項１８に記載の装置。
【請求項２０】
前記次のプロトコル・データ・ユニットを送信するデバイスと通信するエクスチェンジャ（exchanger）をさらに備え、
前記通信は、前記デバイスに対して、前記次のプロトコル・データ・ユニットの状況を通知する請求項１１に記載の装置。
【請求項２１】
無線通信装置であって、
最初のプロトコル・データ・ユニットの転送の開始を識別する手段と、
前記最初のプロトコル・データ・ユニットの終了部分を収集するまで、少なくとも１つの次のプロトコル・データ・ユニットの転送を拒否する手段と
を備える装置。
【請求項２２】
前記次のプロトコル・データ・ユニットは、前記最初のプロトコル・データ・ユニットよりも高い優先度レベルからなる請求項２１に記載の装置。
【請求項２３】
前記最初のプロトコル・データ・ユニットの終了部分を認識する手段をさらに備える請求項２１に記載の装置。
【請求項２４】
前記次のプロトコル・データ・ユニットの転送を開始する手段をさらに備える請求項２３に記載の装置。
【請求項２５】
少なくとも１つの次のプロトコル・データ・ユニットの優先度レベルを分類する手段をさらに備える請求項２３に記載の装置。
【請求項２６】
前記最初のプロトコル・データ・ユニットの転送の終了を認識すると、転送するべき前記分類された次のプロトコル・データ・ユニットを選択する手段をさらに備え、
前記次のプロトコル・データ・ユニットを選択することは、前記次のプロトコル・データ・ユニットの優先度レベルに応じてなされる請求項２５に記載の装置。
【請求項２７】
前記最初のプロトコル・データ・ユニットの転送の終了後、次のプロトコル・データ・ユニットのグループから、転送するべき次のプロトコル・データ・ユニットを調整する手段をさらに備え、
前記次のプロトコル・データ・ユニットのグループは、ほぼ等しい優先度レベルを有する請求項２６に記載の装置。
【請求項２８】
前記最初のプロトコル・データ・ユニットの終了部分が収集されるまで、少なくとも１つの次のプロトコル・データ・ユニットの転送を拒否する手段は、前記最初のプロトコル・データ・ユニットのオーナシップが、前記最初のプロトコル・データ・ユニットのヘッダ以外から推論されない場合に動作する請求項２１に記載の装置。
【請求項２９】
この仮定は、時間分析、人工知能技術、補足通信、またはこれらの組み合わせに基づく請求項２８に記載の装置。
【請求項３０】
前記次のプロトコル・データ・ユニットを送信するデバイスと通信する手段をさらに備え、
前記通信は、前記デバイスに対して、前記次のプロトコル・データ・ユニットの状況を通知する請求項２１に記載の装置。
【請求項３１】
最初のプロトコル・データ・ユニットの転送の開始を識別することと、
前記最初のプロトコル・データ・ユニットの終了部分を収集するまで、少なくとも１つの次のプロトコル・データ・ユニットの転送を拒否することと、
のための機械実行可能な命令群を格納した機械読取可能媒体。
【請求項３２】
前記次のプロトコル・データ・ユニットは、前記最初のプロトコル・データ・ユニットよりも高い優先度レベルからなる請求項３１に記載の機械読取可能媒体。
【請求項３３】
前記最初のプロトコル・データ・ユニットの終了部分を認識するための命令群をさらに備える請求項３１に記載の機械読取可能媒体。
【請求項３４】
前記次のプロトコル・データ・ユニットの転送を開始するための命令群をさらに備える請求項３３に記載の機械読取可能媒体。
【請求項３５】
少なくとも１つの次のプロトコル・データ・ユニットの優先度レベルを分類するための命令群をさらに備える請求項３３に記載の機械読取可能媒体。
【請求項３６】
前記最初のプロトコル・データ・ユニットの転送の終了を認識すると、転送するべき前記分類された次のプロトコル・データ・ユニットを選択するための命令群をさらに備え、
前記次のプロトコル・データ・ユニットを選択することは、前記次のプロトコル・データ・ユニットの優先度レベルに応じてなされる請求項３５に記載の機械読取可能媒体。
【請求項３７】
前記最初のプロトコル・データ・ユニットの転送の終了後、次のプロトコル・データ・ユニットのグループから、転送するべき次のプロトコル・データ・ユニットを調整するための命令群をさらに備え、
前記次のプロトコル・データ・ユニットのグループは、ほぼ等しい優先度レベルを有する請求項３６に記載の機械読取可能媒体。
【請求項３８】
前記最初のプロトコル・データ・ユニットの終了部分が収集されるまで、少なくとも１つの次のプロトコル・データ・ユニットの転送を拒否することは、前記最初のプロトコル・データ・ユニットのオーナシップが、前記最初のプロトコル・データ・ユニットのヘッダ以外から推論されない場合になされる請求項３１に記載の機械読取可能媒体。
【請求項３９】
この仮定は、時間分析、人工知能技術、補足通信、またはこれらの組み合わせに基づく請求項３８に記載の機械読取可能媒体。
【請求項４０】
前記次のプロトコル・データ・ユニットを送信するデバイスと通信するための命令群をさらに備え、
前記通信は、前記デバイスに対して、前記次のプロトコル・データ・ユニットの状況を通知する請求項３１に記載の機械読取可能媒体。
【請求項４１】
無線通信システムにおける装置であって、
最初のプロトコル・データ・ユニットの転送の開始を識別し、
前記最初のプロトコル・データ・ユニットの終了部分を収集するまで、少なくとも１つの次のプロトコル・データ・ユニットの転送を拒否する
ように構成されたプロセッサを備える装置。
【請求項４２】
前記次のプロトコル・データ・ユニットは、前記最初のプロトコル・データ・ユニットよりも高い優先度レベルからなる請求項４１に記載の装置。
【請求項４３】
前記プロセッサはさらに、前記最初のプロトコル・データ・ユニットの終了部分を認識するように構成された請求項４１に記載の装置。
【請求項４４】
前記プロセッサはさらに、前記次のプロトコル・データ・ユニットの転送を開始するように構成された請求項４３に記載の装置。
【請求項４５】
前記プロセッサはさらに、少なくとも１つの次のプロトコル・データ・ユニットの優先度レベルを分類するように構成された請求項４３に記載の装置。
【請求項４６】
前記プロセッサはさらに、前記最初のプロトコル・データ・ユニットの転送の終了を認識すると、転送するべき前記分類された次のプロトコル・データ・ユニットを選択するように構成され、
前記次のプロトコル・データ・ユニットを選択することは、前記次のプロトコル・データ・ユニットの優先度レベルに応じてなされる請求項４５に記載の装置。
【請求項４７】
前記プロセッサはさらに、前記最初のプロトコル・データ・ユニットの転送の終了後、次のプロトコル・データ・ユニットのグループから、転送するべき次のプロトコル・データ・ユニットを調整するように構成され、
前記次のプロトコル・データ・ユニットのグループは、ほぼ等しい優先度レベルを有する請求項４６に記載の装置。
【請求項４８】
前記最初のプロトコル・データ・ユニットの終了部分が収集されるまで、少なくとも１つの次のプロトコル・データ・ユニットの転送を拒否することは、前記最初のプロトコル・データ・ユニットのオーナシップが、前記最初のプロトコル・データ・ユニットのヘッダ以外から推論されない場合になされる請求項４１に記載の装置。
【請求項４９】
この仮定は、時間分析、人工知能技術、補足通信、またはこれらの組み合わせに基づく請求項４８に記載の装置。
【請求項５０】
前記プロセッサはさらに、前記次のプロトコル・データ・ユニットを送信するデバイスと通信するように構成され、
前記通信は、前記デバイスに対して、前記次のプロトコル・データ・ユニットの状況を通知する請求項４１に記載の装置。
【請求項５１】
プロトコル・データ・ユニット通信を管理する方法であって、
最初のプロトコル・データ・ユニットが送信されたことを識別することと、
前記最初のプロトコル・データ・ユニットの送信が完了するまで、次のプロトコル・データ・ユニットの送信を禁止することと
を備える方法。
【請求項５２】
通信チャネルの帯域幅サイズを決定することと、
前記最初のプロトコル・データ・ユニットのサイズが、前記決定された帯域幅よりも大きいことを判定することと、
前記最初のプロトコル・データ・ユニットを、前記帯域幅内に適合する少なくとも２つの部分に分割することと、
前記最初のプロトコル・データ・ユニットを連続的に送信することと
をさらに備える請求項５１に記載の方法。
【請求項５３】
少なくとも２つのプロトコル・データ・ユニットを優先度に応じて順序付けることをさらに備え、
前記最初のプロトコル・データ・ユニットは、前記次のプロトコル・データ・ユニットよりも高い優先度からなる請求項５１に記載の方法。
【請求項５４】
前記最初のプロトコル・データ・ユニットの送信の完了を判定することをさらに備える請求項５１に記載の方法。
【請求項５５】
無線通信装置であって、
最初のプロトコル・データ・ユニットが送信されたことを識別するディジネータ（designator）と、
前記最初のプロトコル・データ・ユニットの送信が完了するまで、次のプロトコル・データ・ユニットの送信を禁止するホルダ（holder）と
を備える装置。
【請求項５６】
通信チャネルの帯域幅サイズを決定するメジャラ（measurer）と、
前記最初のプロトコル・データ・ユニットのサイズが、前記決定された帯域幅よりも大きいことを判定するバランサ（balancer）と、
前記最初のプロトコル・データ・ユニットを、前記帯域幅内に適合する少なくとも２つの部分に分割するスプリッタ（splitter）と、
前記最初のプロトコル・データ・ユニットを連続的に送信するエミッタ（emitter）と
をさらに備える請求項５５に記載の装置。
【請求項５７】
少なくとも２つのプロトコル・データ・ユニットを優先度に応じて順序付けるアレンジャ（arranger）をさらに備え、
前記最初のプロトコル・データ・ユニットは、前記次のプロトコル・データ・ユニットよりも高い優先度からなる請求項５５に記載の装置。
【請求項５８】
前記最初のプロトコル・データ・ユニットの送信の完了を判定するフォロワ（follower）をさらに備える請求項５５に記載の装置。
【請求項５９】
無線通信装置であって、
最初のプロトコル・データ・ユニットが送信されたことを識別する手段と、
前記最初のプロトコル・データ・ユニットの送信が完了するまで、次のプロトコル・データ・ユニットの送信を禁止する手段と
を備える装置。
【請求項６０】
通信チャネルの帯域幅サイズを決定する手段と、
前記最初のプロトコル・データ・ユニットのサイズが、前記決定された帯域幅よりも大きいことを判定する手段と、
前記最初のプロトコル・データ・ユニットを、前記帯域幅内に適合する少なくとも２つの部分に分割する手段と、
前記最初のプロトコル・データ・ユニットを連続的に送信する手段と
をさらに備える請求項５９に記載の装置。
【請求項６１】
少なくとも２つのプロトコル・データ・ユニットを優先度に応じて順序付ける手段をさらに備え、
前記最初のプロトコル・データ・ユニットは、前記次のプロトコル・データ・ユニットよりも高い優先度からなる請求項５９に記載の装置。
【請求項６２】
前記最初のプロトコル・データ・ユニットの送信の完了を判定する手段をさらに備える請求項５９に記載の装置。
【請求項６３】
最初のプロトコル・データ・ユニットが送信されたことを識別することと、
前記最初のプロトコル・データ・ユニットの送信が完了するまで、次のプロトコル・データ・ユニットの送信を禁止することと、
のための機械実行可能な命令群を格納した機械読取可能媒体。
【請求項６４】
通信チャネルの帯域幅サイズを決定することと、
前記最初のプロトコル・データ・ユニットのサイズが、前記決定された帯域幅よりも大きいことを判定することと、
前記最初のプロトコル・データ・ユニットを、前記帯域幅内に適合する少なくとも２つの部分に分割することと、
前記最初のプロトコル・データ・ユニットを連続的に送信することと、
のための命令群をさらに備える請求項６３に記載の機械読取可能媒体。
【請求項６５】
少なくとも２つのプロトコル・データ・ユニットを優先度に応じて順序付けることのための命令群をさらに備え、
前記最初のプロトコル・データ・ユニットは、前記次のプロトコル・データ・ユニットよりも高い優先度からなる請求項６３に記載の機械読取可能媒体。
【請求項６６】
前記最初のプロトコル・データ・ユニットの送信の完了を判定することのための命令群をさらに備える請求項６３に記載の機械読取可能媒体。
【請求項６７】
無線通信システムにおける装置であって、
最初のプロトコル・データ・ユニットが送信されたことを識別し、
前記最初のプロトコル・データ・ユニットの送信が完了するまで、次のプロトコル・データ・ユニットの送信を禁止する
ように構成されたプロセッサを備える装置。
【請求項６８】
前記プロセッサはさらに、
通信チャネルの帯域幅サイズを決定し、
前記最初のプロトコル・データ・ユニットのサイズが、前記決定された帯域幅よりも大きいことを判定し、
前記最初のプロトコル・データ・ユニットを、前記帯域幅内に適合する少なくとも２つの部分に分割し、
前記最初のプロトコル・データ・ユニットを連続的に送信する
ように構成された請求項６７に記載の装置。
【請求項６９】
前記プロセッサはさらに、少なくとも２つのプロトコル・データ・ユニットを優先度に応じて順序付けるように構成され、
前記最初のプロトコル・データ・ユニットは、前記次のプロトコル・データ・ユニットよりも高い優先度からなる請求項６７に記載の装置。
【請求項７０】
前記プロセッサはさらに、前記最初のプロトコル・データ・ユニットの送信の完了を判定するように構成された請求項６７に記載の装置。
【発明の詳細な説明】
【相互参照】
【０００１】
本願は、２００７年６月１５日に出願され"HANDLING OF PARTIAL PDUS IN MAC-EHS TFC SELECTION"と題された米国特許出願６０／９４４，４３４号の優先権を主張する。その全体は、本明細書において参照によって組み込まれる。
【技術分野】
【０００２】
以下の記述は、一般に無線通信に関し、さらに詳しくは、プロトコル・データ・ユニットの通信に関する。
【背景技術】
【０００３】
無線通信システムは、例えば音声、データ等のような様々なタイプの通信コンテンツを提供するために広く開発された。一般的な無線通信システムは、（例えば、帯域幅、送信電力等のような）利用可能なシステム・リソースを共有することによって、複数のユーザとの通信をサポートすることが可能な多元接続システムでありうる。そのような多元接続システムの一例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含んでいる。
【０００４】
通常、無線多元接続通信システムは、複数のモバイル・デバイスのための通信を同時にサポートすることができる。おのおのの端末は、順方向リンクおよび逆方向リンクによる送信によって、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システムなどによって確立されうる。
【０００５】
ＭＩＭＯシステムは一般にデータ送信のために、複数（ＮＴ個）の送信アンテナと、複数（ＮＲ個）の受信アンテナとを利用する。ＮＴ個の送信アンテナおよびＮＲ個の受信アンテナによって形成されるＭＩＭＯチャネルは、空間チャネルと称されうるＮＳ個の独立したチャネルに分解される。ここでＮＳ≦｛ＮＴ，ＮＲ｝である。ＮＳ個の独立チャネルのおのおのは、ディメンションに相当する。さらに、複数の送信アンテナおよび複数の受信アンテナによって生成されたさらなるディメンションが利用されるのであれば、ＭＩＭＯシステムは、向上したパフォーマンス（例えば、高められた空間効率、より高いスループット、および／または、より高い信頼性）を与えることができる。
【０００６】
ＭＩＭＯシステムは、共通の物理媒体によって順方向リンク通信および逆方向リンク通信を分割するさまざまな二重化技術をサポートしうる。例えば、周波数分割デュプレクス（ＦＤＤ）システムは、順方向リンク通信および逆方向リンク通信のために、異なる周波数領域を利用しうる。さらに、時分割デュプレクス（ＴＤＤ）システムでは、順方向リンク通信および逆方向リンク通信が、共通の周波数領域を利用しうる。しかしながら、従来の技術は、チャネル情報に関し制限されたフィードバックしか与えないか、あるいはフィードバックを全く与えない。
【発明の概要】
【０００７】
以下は、１または複数の実施形態の基本的な理解を提供するために、そのような実施形態の簡略化された概要を示す。この概要は、考えられる全ての実施形態の広範な概観ではなく、これら全ての実施形態の重要要素や決定的要素を特定することでも、任意または全ての実施形態を線引きすることでもないことが意図される。その唯一の目的は、開示された態様の幾つかの概念を、後に示されるより詳細な説明の前置きとして簡単な形式で示すことである。
【０００８】
１または複数の実施形態およびその対応する開示によれば、さまざまな態様が、プロトコル・データ・ユニット通信を管理する方法に関して記述される。この方法は、最初のプロトコル・データ・ユニットの転送の開始を識別することを備えうる。この方法はまた、最初のプロトコル・データ・ユニットの終了部分を収集するまで、少なくとも１つの次のプロトコル・データ・ユニットの転送を拒否することをも備えうる。
【０００９】
別の態様は、最初のプロトコル・データ・ユニットの転送の開始を識別するエスタブリッシャ（establisher）を含みうる無線通信装置に関する。この装置はまた、最初のプロトコル・データ・ユニットの終了部分を収集するまで、少なくとも１つの次のプロトコル・データ・ユニットの転送を拒否するレギュレータ（regulator）を含みうる。
【００１０】
さらなる態様では、無線通信装置は、最初のプロトコル・データ・ユニットの転送の開始を識別する手段を備えうる。さらに、この装置はまた、最初のプロトコル・データ・ユニットの終了部分を収集するまで、少なくとも１つの次のプロトコル・データ・ユニットの転送を拒否する手段を備えうる。
【００１１】
最初のプロトコル・データ・ユニットの転送の開始を識別することのみならず、最初のプロトコル・データ・ユニットの終了部分を収集するまで、少なくとも１つの次のプロトコル・データ・ユニットの転送を拒否することのための機械実行可能な命令群を格納している機械読取可能媒体に関する。
【００１２】
また別の態様は、最初のプロトコル・データ・ユニットの転送の開始を識別し、最初のプロトコル・データ・ユニットの終了部分を収集するまで、少なくとも１つの次のプロトコル・データ・ユニットの転送を拒否するように構成されたプロセッサを含む無線通信システムにおける装置に関する。
【００１３】
態様によれば、方法が、プロトコル・データ・ユニット通信を管理することを容易にする。この方法は、最初のプロトコル・データ・ユニットが送信されたことを識別することを含みうる。この方法はまた、最初のプロトコル・データ・ユニットの送信が完了するまで、次のプロトコル・データ・ユニットの送信を禁止することを含みうる。
【００１４】
別の態様は、最初のプロトコル・データ・ユニットが送信されたことを識別するディジネータ（designator）のみならず、最初のプロトコル・データ・ユニットの送信が完了するまで、次のプロトコル・データ・ユニットの送信を禁止するホルダ（holder）を備える無線通信装置に関する。
【００１５】
また別の態様は、最初のプロトコル・データ・ユニットが送信されたことを識別する手段を備える無線通信装置に関する。この装置はまた、最初のプロトコル・データ・ユニットの送信が完了するまで、次のプロトコル・データ・ユニットの送信を禁止する手段を備えうる。
【００１６】
また別の態様は、最初のプロトコル・データ・ユニットが送信されたことを識別し、最初のプロトコル・データ・ユニットの送信が完了するまで次のプロトコル・データ・ユニットの送信を禁止する機械実行可能な命令群を格納している機械読取可能媒体に関する。
【００１７】
さらなる態様は、最初のプロトコル・データ・ユニットが送信されたことを識別し、最初のプロトコル・データ・ユニットの送信が完了するまで、次のプロトコル・データ・ユニットの送信を禁止するように構成されたプロセッサを備える装置、および無線通信システムである。
【００１８】
前述した目的および関連する目的を達成するために、１または複数の実施形態は、後に十分に記載され特に請求項において指摘される特徴を備えている。以下の記載および添付図面は、１または複数の実施形態のある例示的な態様を詳細に述べている。しかしながら、これらの態様は、さまざまな実施形態の原理が適応されるさまざまな方式のうちの極一部しか示しておらず、記述された実施形態は、そのような全ての態様およびそれらの等化物を含むことが意図されている。
【図面の簡単な説明】
【００１９】
【図１】図１は、本明細書に記述されたさまざまな態様にしたがう無線通信システムの実例である。
【図２】図２は、本明細書に記述されたさまざまな態様にしたがって優先度を変更するプロトコル・データ・ユニットの通信のための代表的なシステムの実例である。
【図３】図３は、本明細書に記述されたさまざまな態様にしたがう詳細な送信機を用いて優先度を変更するプロトコル・データ・ユニットの通信のための代表的なシステムの実例である。
【図４】図４は、本明細書に記述されたさまざまな態様にしたがう詳細な送信機を用いて優先度を変更するプロトコル・データ・ユニットの通信のための代表的なシステムの実例である。
【図５】図５は、本明細書に記述されたさまざまな態様にしたがう詳細な受信機を用いて優先度を変更するプロトコル・データ・ユニットの通信のための代表的なシステムの実例である。
【図６】図６は、本明細書に記述されたさまざまな態様にしたがう詳細な受信機を用いて優先度を変更するプロトコル・データ・ユニットの通信のための代表的なシステムの実例である。
【図７】図７は、本明細書に記述されたさまざまな態様にしたがうパケット通信の実例である。
【図８】図８は、本明細書に記述されたさまざまな態様にしたがって複数のプロトコル・データ・ユニットを処理するための代表的な方法論の実例である。
【図９】図９は、本明細書に記述されたさまざまな態様にしたがってプロトコル・データ・ユニットを転送するための代表的な方法論の実例である。
【図１０】図１０は、本明細書に記述されたさまざまな態様にしたがって、優先度レベルに関連付けられたプロトコル・データ・ユニットの処理を容易にするモバイル・デバイスの実例である。
【図１１】図１１は、本明細書に記述されたさまざまな態様にしたがってプロトコル・データ・ユニットの通信を容易にするシステムの実例である。
【図１２】図１２は、本明細書に記述されたさまざまなシステムおよび方法と共に使用することができる無線ネットワーク環境の実例である。
【図１３】図１３は、本明細書に記述されたさまざまな態様にしたがって、異なるプロトコル・データ・ユニットの処理を容易にするシステムの実例である。
【図１４】図１４は、本明細書に記述されたさまざまな態様にしたがって、プロトコル・データ・ユニットの通信を規制することを容易にするシステムの実例である。
【発明を実施するための形態】
【００２０】
さまざまな実施形態が、同一要素を参照するために全体を通じて同一符番が用いられている図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、周知の構成およびデバイスが、１または複数の実施形態の説明を容易にするためにブロック図形式で示されている。
【００２１】
本願で使用されるように、用語「構成要素」、「モジュール」、「システム」等は、ハードウェア、ファームウェア、ハードウェアとソフトウェアとの組み合わせ、ソフトウェア、または実行中のソフトウェア、ファームウェア、ミドルウェア、マイクロコード、および／または、これらの任意の組み合わせであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。
【００２２】
さらに、本明細書ではさまざまな実施形態が、モバイル・デバイスに関連して記載される。モバイル・デバイスは、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して説明される。基地局は、モバイル・デバイスと通信するために利用され、アクセス・ポイント、ノードＢ、またはその他幾つかの専門用語でも称されうる。
【００２３】
さらに、本明細書に記載のさまざまな局面または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、あるいは媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストライプ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記述されたさまざまな記憶媒体は、情報を格納するための１または複数のデバイスおよび／またはその他の機械読取可能媒体を示すことができる。用語「機械読取可能媒体」は、限定することなく、命令（群）および／またはデータを格納、包含、および／または搬送することが可能な無線チャネルおよびその他さまざまな媒体を含みうる。
【００２４】
図１に示すように、無線通信システム１００が、本明細書に示されたさまざまな実施形態にしたがって例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、おのおののグループについて、それよりも多いあるいはそれよりも少ないアンテナも適用されうる。基地局１０２はさらに、送信機チェーンおよび受信機チェーンを含みうる。これらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２５】
基地局１０２は、例えばモバイル・デバイス１１６およびモバイル・デバイス１２２のような１または複数のアクセス端末と通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２６】
通信するように指定された領域および／またはアンテナのセットは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを適用することができる。また、基地局１０２が、関連する有効範囲にランダムに散在したモバイル・デバイス１１６、１２２に送信するためにビームフォーミングを利用している間、近隣セル内のモバイル・デバイスは、全てのモバイル・デバイスに対して単一アンテナによって送信している基地局に比べて、少ない干渉しか被らない。
【００２７】
図２に示すように、プロトコル・データ・ユニット（ＰＤＵ）の通信のためのシステム２００の一例が開示される。従来、複数の送信機（例えば送信機２０２）が、受信機（例えば受信機２０４）へＰＤＵを転送する。しばしば、ＰＤＵは利用可能な帯域幅には大きすぎる。したがって、ＰＤＵは、より管理しやすい部分に分割される。例示的な例では、優先度の低いＰＤＵが、複数の部分（例えば部分的なＰＤＵ）で受信機２０４に移動しうる。優先度の高いＰＤＵが受信機に移動する場合、優先度の低いＰＤＵ転送が停止され、優先度の高いＰＤＵ転送が開始されうる。一般に、（例えば、ヘッダ情報のような）開始部分だけが、どのようにして部分的なＰＤＵを再構築するのかに関する情報を含んでいる。しかしながら、部分的なＰＤＵは送信中に失われる場合がある。したがって、受信機２０４が混乱し、偶然にも、複数のＰＤＵを混合することがある。例えば、優先度の高いＰＤＵの開始インジケータ部分が失われると、受信機２０４に新たな開始が通知されず、優先度の高いＰＤＵをどのように構築するかが指示されないので、受信機２０４は、高い優先度の部分的ＰＤＵが、あたかも低い優先度のＰＤＵからのものであるように、次の高い優先度の部分的ＰＤＵを処理しうる。
【００２８】
このような混乱を阻止することを支援するために、受信機２０４は、たとえ別のＰＤＵが高い優先度であっても、この別のＰＤＵの処理が許可される前に、処理中のＰＤＵの処理が完了できるように構成されうる。さらに、送信機２０２は、効率的な通信を促進するために、送信されるＰＤＵの数を制限し、ＰＤＵに優先度付けをすることができる。送信機２０２は、ＰＤＵを送信し、ディジネータ２０６は、最初のＰＤＵが送信されていることを識別する。これは、送信機２０２のアクティブなモニタリング、およびメッセージの収集等によってなされうる。送信機２０２はまた、最初のＰＤＵの送信が完了するまで、次のＰＤＵの送信を禁止するホルダ２０８を用いることができる。例えば、ホルダ２０８は、別のＰＤＵの送信を停止するように送信機２０２のアンテナを規制しうる。
【００２９】
ＰＤＵが受信機２０４に移動すると、アクノレッジメント・メッセージが、送信機２０２に返信されうる。エスタブリッシャ２１０は、最初のＰＤＵの転送の開始を識別する。最初のＰＤＵが転送されると、レギュレータ２１２は、最初のＰＤＵの終了部分が収集されるまで、少なくとも１つの次のＰＤＵの転送を拒否しうる。転送を拒否することは、ＰＤＵが現在受信されるべきではないこと、テンポラリな記憶装置に次のＰＤＵを格納すること等を送信ユニットに指示することを含みうる。１つの実施形態によれば、最初のプロトコル・データ・ユニットのオーナシップ（ownership）が、最初のプロトコル・データ・ユニットのヘッダ以外からは推論されない場合、最初のプロトコル・データ・ユニットの終了部分が収集されるまで、少なくとも１つの次のプロトコル・データの転送は拒否される。適切なオーナシップ無くしては、最初のプロトコル・データ・ユニットを再構築することは困難であるか、あるいは不可能でありうる。
【００３０】
図３に示すように、詳細な送信機２０２の例を用いてＰＤＵの通信を管理するシステム３００の例が開示される。一般に、ＰＤＵを含む情報の通信は、利用可能な帯域幅の量によって制限される。したがって、メジャラ（measurer）３０２は、ＰＤＵの通信に使用される通信チャネルの帯域幅サイズを決定することができる。さらに、バランサ３０４は、最初のＰＤＵのサイズが、決定された帯域幅より大きいかどうかを判定しうる。
【００３１】
ＰＤＵが利用可能な帯域幅内に適合できるほど十分に小さい場合、送信機２０２は、ＰＤＵ全体を送信しうる。しかしながら、ＰＤＵがチャネルには大きすぎる事例がある。この場合、スプリッタ３０６が、最初のＰＤＵを、少なくとも２つの部分に分割する。これら少なくとも２つの部分は、帯域幅内に適合しうる。分割は、論理的に（例えば、帯域幅内に適合する関連するグループへ分割される）、数学的（例えば、分割は、Ｘバイト毎になされる）等によってなされうる。
【００３２】
エミッタ３０８は、最初のＰＤＵ部分を、連続的に送信し、ディジネータ２０６は、この送信を識別する。認識されると、ホルダ２０８は、送信機に対して、この最初のＰＤＵ送信が完了するまで別のＰＤＵを送信しないように指示する。これによって、送信機２０２は、受信機２０４に負荷をかけすぎることなく、システム３００のリソースを浪費しないようになる。受信機２０４は、この最初のＰＤＵ部分を収集し、エスタブリッシャ２１０を用いて送信の開始を識別し、レギュレータ２１２に対して、収集が完了するまで別のＰＤＵを拒否するように指示する。
【００３３】
図４に示すように、詳細な送信機２０２の例を用いて、ＰＤＵの通信を管理するシステム４００の例が開示される。最初のＰＤＵが送信されると、最初のＰＤＵの収集が完了するまで別のＰＤＵは送信されないので、ＰＤＵに送信のための優先度の順位を付けることが有用である。アレンジャ（arranger）４０２は、優先度に応じて少なくとも２つのＰＤＵを順位付けることができる。最初のＰＤＵは、次のＰＤＵよりも高い優先度からなる。したがって、ＰＤＵは、優先度の順位にしたがって送信されうる。順位が生成された後、アレンジャ４０２は、新たなＰＤＵが転送されるよう決定されるように、順位を変更することができる。
【００３４】
送信機２０２は、最初のＰＤＵを送信し、ホルダ２０８は、別のＰＤＵの送信を禁止する。フォロワ（follower）４０４は、送信機２０２の動作を観察し、最初のＰＤＵの送信が完了したことを判定する。完了したと判定されると、アレンジャ４０２によって生成された順位を持つ別のＰＤＵが、受信機２０４へ送信されうる。受信機２０４は、（次のＰＤＵも同様）最初のＰＤＵのさまざまな部分を取得し、エスタブリッシャ２１０を用いて送信の開始を識別し、レギュレータ２１２に対して、収集が完了するまで別のＰＤＵを拒否するように指示する。
【００３５】
図５に示すように、複数のＰＤＵを処理するシステム５００の例が開示される。例えば送信機２０２のような複数の送信機は、受信機２０４へＰＤＵを送信する。受信機２０４は、これらＰＤＵの処理を試みる。受信機２０４を助けるために、送信機２０２は、送信されるＰＤＵの数を制限することができる。例えば、ディジネータ２０６は、最初のＰＤＵが転送されていることを判定しうる。また、ホルダ２０８は、最初のＰＤＵの送信が完了する（例えば、終了部分が転送される、誤りが識別される等）まで、送信機２０２から別のＰＤＵが送信されることを禁止しうる。
【００３６】
受信機２０４は、新たなＰＤＵを識別し、エスタブリッシャ２１０を用いて、最初のＰＤＵの転送の開始を識別しうる。新たなＰＤＵの転送が開始されると、レギュレータ２１２は、最初のＰＤＵの終了部分が収集されるまで、少なくとも１つの次のＰＤＵの転送を拒否しうる。１つの実施形態によれば、次のＰＤＵは、最初のＰＤＵよりも高い優先度レベルからなる。
【００３７】
最初のＰＤＵの終了部分を認識するオーセンティケータ５０２によってチェックがなされる。受信機２０４において複数のＰＤＵの処理が試みられことは可能である。少なくとも１つの次のＰＤＵの優先度レベルを分類するクラシファイヤ５０４が使用されうる。この分類に基づいて、エレクタ（elector）５０６は、最初のＰＤＵの転送が終了したことが認識されると、転送すべき分類された次のＰＤＵを選択しうる。したがって、次のＰＤＵの選択は、次のＰＤＵの優先度レベルに応じてなされうる。
【００３８】
しかしながら、同じ優先度を持つ複数のＰＤＵが存在するので、エレクタ５０６が選択できないこともある。この場合、最初のＰＤＵの転送終了後に、次のＰＤＵのグループから、転送するＰＤＵを調整するリゾルバ（resolver）５０８が使用されうる。次のＰＤＵのグループは、ほぼ等しい優先度レベルを有している。ほぼ等しい優先度レベルからなる曖昧さを調整した後、エレクタ５０６は、適切な選択を行い、スタータ（starter）５１０が、次のＰＤＵの転送を開始する。
【００３９】
図６に示すように、ＰＤＵ通信を規制するシステム６００の例が開示される。送信機２０２は、少なくとも１つのＰＤＵを受信機２０４へ送信することを試みうる。一般に、ＰＤＵは、渋滞を低減するために、連続したデータのストリームとして受信機２０４へ転送される。ディジネータ２０６は、ＰＤＵの転送がなされたときを識別するために適用され、ホルダ２０８は、適切なリソースがフリーになるまで他のＰＤＵが送信されないことを保証するために使用される。
【００４０】
受信機２０４は、最初のＰＤＵの転送の開始を識別するエスタブリッシャ２１０を使用しうる。開始が識別されると、レギュレータ２１２は、最初のＰＤＵの終了部分が収集されるまで、少なくとも１つの次のＰＤＵの転送を拒否しうる。受信機２０２が最初のＰＤＵの終了部分を取得しないこともありえる。永久に待機している状態とは異なり、設定された基準が満たされると、エスティメータ（estimator）６０２は、終了部分が失われ、次のＰＤＵの転送が開始されたものと仮定する。１つの実施形態によれば、この仮定は、時間分析、人工知能技術、（例えば、送信機２０２が最終受信の確認を要求するが、最終のＰＤＵ部分が収集されないような）補足通信、あるいはこれらの組み合わせに基づく。
【００４１】
人工知能技術は、本明細書に記述されたさまざまな自動化された態様を実現することにしたがって、データから学習すること、および、複数のストレージ・ユニットにわたって情報を動的に格納することに関する推論および／または判定を行うことのための多くの方法論（例えば、Ｈｉｄｄｅｎ  Ｍａｒｋｏｖ  Ｍｏｄｅｌ（ＨＭＭ）および関連する原型依存モデル、例えばＢａｙｅｓｉａｎモデル・スコアまたは近似を用いた構造探索によって生成されたＢａｙｅｓｉａｎネットワークのようなより一般的な確率論的グラフィック・モデル、例えばサポート・ベクトル・マシン（ＳＶＭ）のような線形クラシファイヤ、例えば「ニューラル・ネット」方法やファジー論理方法と称される方法のような非線形クラシファイヤ、およびデータ融合を実行するその他のアプローチ等）のうちの１つを適用することができる。さらに、これらの技術はまた、例えば定理試験器（theorem prover）またはよりヒューリスティックな規則に基づいたエキスパート・システムのような、論理関係を取得する方法をも含みうる。人工知能技術は、本明細書に記述された判定を行なうために使用されうる。受信機２０４は、次のＰＤＵを送信するデバイスと通信するエクスチェンジャ６０４を使用することができる。この通信によって、デバイスに、次のＰＤＵの状況を通知する。
【００４２】
図７に示すように、通信ストリーム７０２、７０４、７０６の例が示される。ストリーム７０２は、送信機または複数の送信機（例えば、図２の送信機２０２）によって転送されるものである。このストリームの一部は失われる可能性があり、ストリーム７０４は、受信機（例えば、図２の受信機２０４）によって収集されたものである。ストリーム７０２は、低優先度であるＰＤＵの開始部分（ＳＬ）、低優先度であるＰＤＵの中央部分（ＭＬ）、低優先度であるＰＤＵの終了部分（ＥＬ）を含むことができる。同様に、ストリーム７０２は、高優先度であるＰＤＵの開始部分（ＳＨ）、高優先度であるＰＤＵの中央部分（ＭＨ）、高優先度であるＰＤＵの終了部分（ＥＨ）を含むことができる。
【００４３】
ＳＨ部分が失われると、受信機はどの部分がどのＰＤＵに属するかについて混乱するようになる。例えば、ストリーム７０４は、ＳＨが送信中に失われたＳＬ−ＭＬ−ＭＬ−ＭＨのシーケンスを示す。ＳＨ部分がないと、受信機は、シーケンスのうちのＭＨが実際にＭＬであると信用するようになる。本明細書で開示された態様を実施すると、ストリーム７０６となる。これは、複数のＰＤＵ部分をともに体系化しており、高優先度の部分は、低優先度の部分が完了するまで処理されない（すなわち、ストリーム内に配置されない）。
【００４４】
図８乃至図９に示すように、ＰＤＵ通信構成に関する方法論が例示される。説明を簡単にするために、これらの方法は、一連の動作として示され記述されるが、これら方法は、この動作順に限定されないことが理解され認識されるべきである。なぜなら、その幾つかの動作は、１または複数の実施形態にしたがって、本明細書に示され記述されたものとは異なる順序で、および／または、別の動作と同時になされうるからである。例えば、当業者であれば、方法は、その代わりに、例えば状態図のような一連の相互関係のある状態またはイベントとして示されうることを理解し認識するであろう。さらに、１または複数の実施形態にしたがって方法を実施するために、例示された全ての動作が必要とされる訳ではない。
【００４５】
図８に示すように、複数のＰＤＵを処理する方法論８００の例が開示される。ブロック８０２では、最初のＰＤＵの転送の開始が識別される。これは一般に、識別情報を含むＰＤＵ部分を読み取ることによってなされる。最初のＰＤＵの送信が開始されると、イベント８０４において、最初のＰＤＵの終了部分が収集されるまで、少なくとも１つの次のＰＤＵの転送が拒否される。終了部分を収集することは、終了部分を正しく受信すること、および終了部分が送られたものの受信されていないとの仮定を知ること等を含みうる。１つの実施形態によれば、次のＰＤＵは、最初のＰＤＵより高い優先度レベルからなる。
【００４６】
最初のＰＤＵの終了部分が受信されたかを判定するチェック８０６がなされうる。終了部分が受信されると、アクション８０８において、最初のＰＤＵの終了部分の認識がなされる。しかしながら、終了が認識されない場合、終了部分が失われたと仮定するのに十分な時間が経過したかを判定する別のチェック８１０がなされうる。ＰＤＵ部分は失われる場合があるので、終了が受信されないこともありうる。したがって、チェック８１０において、時間が長すぎると判定されると、アクション８１２において、終了部分が失われたと仮定され、（例えば、閾時間の経過後に）次のＰＤＵの転送が開始される。１つの実施形態によれば、この仮定は、時間分析、人工知能技術、補足通信、あるいはそれらの組み合わせに基づきうる。長時間が経過していないのであれば、方法論８００はチェック８０６に戻り、終了部分が発見されたかが判定される。
【００４７】
終了部分であると判定される（例えば、認識、仮定される）と、動作８１４において、少なくとも１つの次のＰＤＵの優先度レベルが分類され、一般に、優先度に基づいて、ＰＤＵにランク付けする。複数のＰＤＵが同じ優先度を持つ場合がありうるので、チェック８１６において、等しい優先度のＰＤＵが存在するかが判定されうる。等しい優先度のＰＤＵが存在する場合、アクション８１８において、最初のＰＤＵの転送終了後、次のＰＤＵからなるグループから、転送すべき次のＰＤＵが調整されうる。次のＰＤＵからなるグループは、ほぼ等しい優先度レベルを有しうる。例示的な例では、ほぼ等しい優先度レベルを有するＰＤＵが存在する場合、最初に転送されたＰＤＵが処理されるように指定されうる。
【００４８】
アクション８２０では、最初のＰＤＵの転送の終了が認識されると、関数的な順序を用いて、転送されるべき分類された次のＰＤＵが選択されうる。１つの実施形態によれば、次のＰＤＵの選択は、次のＰＤＵの優先度レベルの関数である。選択されたユニットが、ローカルな記憶装置内にない場合、次のＰＤＵを送信するデバイスと通信することができる。この通信は、デバイスに、次のＰＤＵの状況を通知し、次のプロトコル・データ・ユニットの転送が開始される。ブロック８２２は、通信することのみならず、転送を開始することをも表しうる。
【００４９】
図９に示すように、受信機における混雑を緩和するために、ＰＤＵの送信を制限する方法論９００の例が開示される。ブロック９０２では、最初のＰＤＵが送信されたことが識別されうる。例えば、ＰＤＵが送信された理由、送信されたＰＤＵの優先度レベル等のようなＰＤＵに関連するメタデータが確認されうる。
【００５０】
動作９０４では、通信チャネルが分析され、この分析に基づいて、通信チャネルの帯域幅サイズが決定される。最初のＰＤＵのサイズが、決定された帯域幅よりも大きいか（例えば、大きいか、大きいまたは等しいか等）を判定するチェック９０６が実行されうる。このサイズが、決定された帯域幅よりも大きいのであれば、最初のプロトコル・データ・ユニットが少なくとも２つの部分へ分割される動作９０８が実行されうる。少なくとも２つの部分は、帯域幅内に適合しうる。アクション９１０では、全パケットまたは分割されたパケットの何れかが送信されうる。分割後、最初のＰＤＵが送信される場合、送信は連続的になされうる。
【００５１】
イベント９１２では、最初のＰＤＵを送信している間、最初のＰＤＵの送信が完了するまで、次のＰＤＵの送信が禁止されうる。動作９１４の間、最初のＰＤＵの送信の完了を判定することを支援する連続的なチェックがなされうる。送信の完了をもって、イベント９１６では、優先度に応じて、少なくとも２つのＰＤＵが順位付けされる。ここで、最初のＰＤＵは、次のＰＤＵよりも高い優先度からなる。
【００５２】
本明細書に記載の１または複数の局面にしたがって、ＰＤＵ転送がなされねばならないことに関する推論がなされ、ウェイクアップ期間パラメータ等が決定されることが理解されよう。本明細書で使用されるように、「推論する」または「推論」なる文言は一般に、イベントおよび／またはデータによってキャプチャされるような観察のセットから、システム、環境、および／または、ユーザの状態を推理または推論するプロセスを称する。推論は、特定の文脈または動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５３】
例によれば、上述された１または複数の方法は、ＰＤＵの処理および／または通信に関する推論を含みうる。さらなる例によれば、意図された用途、所望の節電等に基づいて、ウェイクアップ期間パラメータとして、物理フレームの数を選択することに関連する推論がなされうる。前述した例は本質的に例示であって、本明細書に記載されたさまざまな実施形態および／または方法に関連して推論される方法、または推論される数を制限することは意図されていないことが認識されよう。
【００５４】
図１０は、ＰＤＵの処理を容易にするモバイル・デバイス１０００（例えば、図１のモバイル・デバイス１１６および／またはモバイル・デバイス１２２）の例示である。モバイル・デバイス１０００は、例えば（図示しない）受信アンテナから信号を受信し、受信した信号について一般的な動作（例えば、フィルタ、増幅、ダウンコンバート等）を実行し、この調整された信号をデジタル化してサンプルを得る受信機１００２を備える。受信機１００２は、例えばＭＭＳＥ受信機であり、受信したサンプルを復調し、それらをチャネル推定のためにプロセッサ１００６へ送る復調器１００４を備えうる。プロセッサ１００６は、受信機１００２によって受信された情報を分析し、および／または、送信機１０１６による送信のための情報を生成することに特化されたプロセッサ、モバイル・デバイス１０００の１または複数の構成要素を制御するプロセッサ、および／または、受信機１００２によって受信された情報を分析することと、送信機１０１６による送信のための情報を生成することと、モバイル・デバイス１０００のうちの１または複数の構成要素を制御することとを全て行うプロセッサでありうる。送信機１０１６および受信機１００２は、図２の送信機２０２および図２の受信機２０４に一致しうるが、個別の異なるエンティティとなりうることも認識されるべきである。
【００５５】
モバイル・デバイス１０００はさらに、プロセッサ１００６と動作可能に接続されており、送信されるデータ、受信したデータ、利用可能なチャネルに関する情報、分析された信号および／または干渉強度に関するデータ、割り当てられたチャネルに関する情報、電力、レート等、および、チャネルの推定およびチャネルを介した通信のためのその他任意の適切な情報を格納しうるメモリ１００８を備えうる。メモリ１００８はさらに、（例えば、パフォーマンス・レベル、キャパシティ・レベル等の）チャネルの推定および／または利用に関するアルゴリズムおよび／またはプロトコルを格納しうる。
【００５６】
本明細書に記載のデータ・ストア（例えば、メモリ１００８）は、揮発性メモリまたは不揮発性メモリの何れかであるか、あるいは、揮発性メモリと不揮発性メモリとの両方を含みうることが認識されるだろう。例示によって、限定ではなく、不揮発性メモリは、読取専用メモリ（ＲＯＭ）、プログラマブルＲＯＭ（ＰＲＯＭ）、ＥＰＲＯＭ（ＥＰＲＯＭ）、電子的に消去可能なＰＲＯＭ（ＥＥＰＲＯＭ）、あるいはフラッシュ・メモリを含むことができる。揮発性メモリは、外部キャッシュ・メモリとして動作するランダム・アクセス・メモリ（ＲＡＭ）を含むことができる。例示によって、限定ではなく、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。主題システムおよび方法のメモリ１００８は、限定されるのではなく、これらおよびその他任意の適切なタイプのメモリを備えることが意図される。
【００５７】
プロセッサ１００２はさらに、エスタブリッシャ１０１０および／またはレギュレータ１０１２に動作可能に接続されている。エスタブリッシャ１０１０は、例えば開始部分を認識することによって、最初のＰＤＵの転送の開始を識別しうる。他のユニットは、最初のＰＤＵが完了する前に、ＰＤＵの送信を試みるので、レギュレータ１０１２は、最初のＰＤＵの終了部分を収集するまで、少なくとも１つの次のＰＤＵの転送を拒否しうる。モバイル・デバイス１０００はさらに、（例えば、ベースＣＱＩや差分ＣＱＩのような）信号を変調する変調器１０１４と、それらを例えば基地局や他のモバイル・デバイス等に送信する送信機１０１６とを備えうる。プロセッサ１００６と別個に示されているが、エスタブリッシャ１０１０および／またはレギュレータ１０１２は、プロセッサ１００６または多くのプロセッサ（図示せず）の一部でありうることが認識されるべきである。
【００５８】
図１１は、ＰＤＵの通信を容易にするシステム１１００の実例である。システム１１００は、複数の受信アンテナ１１０６を介して（例えば図１のモバイル・デバイス１１６および／またはモバイル・デバイス１２２のような）１または複数のモバイル・デバイス１１０４から信号を受信する受信機１１１０と、複数の送信アンテナ１１０８を介して１または複数のモバイル・デバイス１１０４へ送信する送信機１１２４とを有する（例えば、アクセス・ポイント等のような）基地局１１０２を備える。基地局１１０２は、図１の基地局１０２でありうる。受信機１１１０は、受信アンテナ１１０６から情報を受信し、受信した情報を復調する復調器１１１２と動作可能に関連付けられている。復調されたシンボルは、図１０に関連して上述され、メモリ１１１６に接続されたプロセッサに類似したプロセッサ１１１４によって分析される。メモリ１１１６は、信号（例えば、パイロット）強度および／または干渉強度を推定することに関連する情報と、送信されるべきデータまたはモバイル・デバイス１１０４（または、個別の基地局（図示せず））から受信されたデータと、および／または、本明細書に記載されたさまざまな動作および機能を実行することに関連するその他任意の適切な情報とを格納する。
【００５９】
プロセッサ１１１４はさらに、ディジネータ１１１８および／またはホルダ１１２０に接続されている。ディジネータ１１１８は一般に、システム１１００から最初のプロトコル・データ・ユニットが送信されたことを識別しうる。ホルダ１１２０は、最初のプロトコル・データ・ユニットの送信が完了するまで、次のデータ・プロトコル・ユニットの送信を禁止しうる。プロセッサ１１１４と別個に示されているが、ディジネータ１１１８および／またはホルダ１１２０は、プロセッサ１１１４または多くのプロセッサ（図示せず）の一部でありうることが認識されるべきである。
【００６０】
図１２は、無線通信システム１２００の一例を示す。無線通信システム１２００は、簡潔さの目的で、１つの基地局１２１０および１つのモバイル・デバイス１２５０を示す。しかしながら、システム１２００は、１より多い基地局、および／または、１より多いモバイル・デバイス末を含むことができ、これら追加の基地局および／またはモバイル・デバイスは、以下に説明する基地局１２１０およびモバイル・デバイス１２５０の例と実質的と同じものでも、別のものでもありうることが認識されるべきである。さらに、基地局１２１０および／またはモバイル・デバイス１２５０は、その間の無線通信を容易にするために、本明細書に記述されたシステム（図１乃至図７、図１０乃至図１１）および／または方法（図８乃至図９）を適用しうることが認識されるべきである。
【００６１】
基地局１２１０では、多くのデータ・ストリームのためのトラフィック・データが、データ・ソース１２１２から送信（ＴＸ）データ・プロセッサ１２１４へ提供される。一例によれば、おのおののデータ・ストリームは、それぞれのアンテナを介して送信される。ＴＸデータ・プロセッサ１２１４は、トラフィック・データ・ストリームをフォーマットし、そのデータ・ストリームのために選択された特定の符合化スキームに基づいて符号化し、インタリーブして、符合化されたデータを提供する。
【００６２】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにアクセス端末１２５０において使用されうる。おのおののデータ・ストリームに関する多重化されたパイロットおよび符合化されたデータは、そのデータ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１２３０によって実行または提供される命令によって決定されうる。
【００６３】
データ・ストリームの変調シンボルは、（例えば、ＯＦＤＭのために）変調シンボルを処理するＴＸ  ＭＩＭＯプロセッサ１４２０に提供される。ＴＸ  ＭＩＭＯプロセッサ１２２０はその後、ＮＴ個の変調シンボル・ストリームを、ＮＴ個の送信機（ＴＭＴＲ）１２２２ａ乃至１２２２ｔへ提供する。さまざまな実施形態において、ＴＸ  ＭＩＭＯプロセッサ１２２０は、データ・ストリームのシンボル、および、そのシンボルが送信されるアンテナへ、ビームフォーミング重みを適用する。
【００６４】
おのおのの送信機１２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１２２２ａ乃至１２２２ｔからのＮＴ個の変調信号が、ＮＴ個のアンテナ１２２４ａ乃至１２２４ｔそれぞれから送信される。
【００６５】
（例えば図１のモバイル・デバイス１１６および／またはモバイル・デバイス１２２のような）モバイル・デバイス１２５０では、変調され送信された信号がＮＲ個のアンテナ１２５２ａ乃至１２５２ｒによって受信され、おのおののアンテナ１２５２からの受信された信号が、それぞれの受信機（ＲＣＶＲ）１２５４ａ乃至１２５４ｒへ提供される。おのおのの受信機１２５４は、それぞれの信号を調整（例えば、フィルタ、増幅、およびダウンコンバート）し、調整された信号をデジタル化してサンプルを提供する。そしてさらに、これらサンプルを処理して、対応する「受信された」シンボル・ストリームを提供する。
【００６６】
ＲＸデータ・プロセッサ１２６０は、ＮＲ個の受信機１２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１２６０は、検出されたおのおののシンボル・ストリームを復調し、デインタリーブし、復号して、そのデータ・ストリームのためのトラフィック・データを復元する。ＲＸデータ・プロセッサ１２６０による処理は、基地局１２１０におけるＴＸ  ＭＩＭＯプロセッサ１２２０およびＴＸデータ・プロセッサ１２１４によって実行されるものと相補的である。
【００６７】
プロセッサ１２７０は、上述したように、どの事前符合化行列を使用するのかを定期的に決定する。さらに、プロセッサ１２７０は、行列インデクス部およびランク値部とを備えた逆方向リンク・メッセージを規定することができる。
【００６８】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース１２３６から受信するＴＸデータ・プロセッサ１２３８によって処理され、変調器１２８０によって変調され、送信機１２５４ａ乃至１２５４ｒによって調整され、基地局１２１０へ送り戻される。
【００６９】
基地局１２１０では、モバイル・デバイス１２５０からの変調信号が、アンテナ１２２４によって受信され、受信機１２２２によって調整され、復調器１２４０によって復調され、ＲＸデータ・プロセッサ１２４２によって処理されて、モバイル・デバイス１２５０によって送信された逆方向リンク・メッセージを抽出する。さらに、プロセッサ１２３０は、ビームフォーミング重みを決定するためにどの事前符合化行列を使用するかを決定するために、この抽出されたメッセージを処理する。
【００７０】
プロセッサ１２３０およびプロセッサ１２７０は、基地局１２１０およびアクセス端末１２５０それぞれにおける動作を指示（例えば、制御、調整、管理等）する。プロセッサ１２３０およびプロセッサ１２７０はそれぞれ、プログラム・コードおよびデータを格納するメモリ１２３２およびメモリ１２７２に関連付けられうる。プロセッサ１２３０およびプロセッサ１２７０はまた、アップリンクおよびダウンリンクそれぞれのための周波数およびインパルス応答推定値を導出する計算をも実行する。
【００７１】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７２】
これら実施形態が、ソフトウェア、ファームウェア、ミドルウェアあるいはマイクロコード、プログラム・コードあるいはコード・セグメントで実現される場合、これらは、例えばメモリ素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７３】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７４】
図１３を参照して、ＰＤＵ収集の管理を達成するシステム１３００が例示される。例えば、システム１３００は、モバイル・デバイス内に少なくとも部分的に存在しうる。システム１３００は、プロセッサ、ソフトウェア、または（例えば、ファームウェアのような）これらの組み合わせによって実現される機能を表す機能ブロックを含むものとして表されることが認識されるべきである。システム１３００は、連携して動作しうる電子構成要素の論理グループ１３０２を含む。例えば、論理グループ１３０２は、最初のプロトコル・データ・ユニットの転送の開始を識別する電子構成要素１３０４を含みうる。さらに、論理グループ１３０２は、最初のプロトコル・データ・ユニットの終了部分が収集されるまで、少なくとも１つの次のプロトコル・データ・ユニットの転送を拒否する電子構成要素１３０６を含みうる。
【００７５】
論理グループ１３０２はまた、最初のプロトコル・データ・ユニットの終了部分を認識する電子構成要素と、次のプロトコル・データ・ユニットの転送を開始する電子構成要素と、少なくとも１つの次のプロトコル・データ・ユニットの優先度レベルを分類する電子構成要素と、最初のプロトコル・データ・ユニットの転送の終了を認識すると、分類された次のプロトコル・データ・ユニットから、次のプロトコル・データ・ユニットの優先度レベルに応じて、転送するプロトコル・データ・ユニットを選択する電子構成要素と、最初のプロトコル・データ・ユニットの転送終了後、ほぼ等しい優先度レベルを持つ次のプロトコル・データ・ユニットのグループから、転送するプロトコル・データ・ユニットを調整する電子構成要素と、終了部分が失われたと仮定し、次のプロトコル・データ・ユニットの転送を開始する電子構成要素と、および／または、次のプロトコル・データ・ユニットを送信するデバイスと通信する電子構成要素とをも含みうる。なおこの通信は、デバイスに、次のプロトコル・データ・ユニットの状況を通知する。これらの構成要素は、制御プロトコル・データ・ユニットの送信を識別する電子構成要素１３０４と、および／または、制御プロトコル・データ・ユニットの識別された送信に対して直接的に関連している場合、カウンタをインクリメントする電子構成要素１３０６との一部であるか、独立したエンティティであるか等でありうる。さらに、システム１３００は、電子構成要素１３０４、１３０６に関連付けられた機能を実行するための命令群を保持するメモリ１３０８を含みうる。メモリ１３０８の外側にあるとして示されているが、電子構成要素１３０４、１３０６のうちの１または複数は、メモリ１３０８内に存在しうることが理解されるべきである。
【００７６】
図１４に移って、ＰＤＵの送信の規制を達成するシステム１４００が例示される。例えば、システム１４００は、モバイル・デバイス内に少なくとも部分的に存在することができる。システム１４００は、プロセッサ、ソフトウェア、または（例えば、ファームウェアのような）これらの組み合わせによって実現される機能を表す機能ブロックを含むものとして表されることが認識されるべきである。システム１４００は、連携して動作しうる電子構成要素の論理グループ１４０２を含む。例えば、論理グループ１４０２は、最初のプロトコル・データ・ユニットが送信されたことを識別する電子構成要素１４０４を含みうる。さらに、論理グループ１４０２は、最初のプロトコル・データ・ユニットの送信が完了するまで、次のデータ・プロトコル・ユニットの送信を禁止する電子構成要素１４０６を含みうる。
【００７７】
論理グループ１４０２はまた、通信チャネルの帯域幅サイズを決定する電子構成要素と、最初のプロトコル・データ・ユニットのサイズが、決定された帯域幅よりも大きいかを判定する電子構成要素と、最初のプロトコル・データ・ユニットを、帯域幅内に適合する少なくとも２つの部分に分割する電子構成要素と、最初のプロトコル・データ・ユニットを連続的に送信する電子構成要素と、最初のプロトコル・データ・ユニットが、次のプロトコル・データ・ユニットよりも高い優先度からなるように、少なくとも２つのプロトコル・データ・ユニットを、優先度に応じて順序付ける電子構成要素と、および／または、最初のプロトコル・データ・ユニットの送信の完了を判定する電子構成要素とをも含みうる。これらの構成要素は、制御プロトコル・データ・ユニットを認証する電子構成要素１４０４と、および／または、制御プロトコル・データ・ユニットが正しく認証されると、制御プロトコル・データ・ユニットを送信するモジュールに対して、カウンタをリセットさせるための通知を生成する電子構成要素１４０６との一部であるか、独立したエンティティであるか等でありうる。メモリ１４０８の外側にあるとして示されているが、電子構成要素１４０４、１４０６は、メモリ１４０８内に存在しうることが理解されるべきである。
【００７８】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010530191.tif 000003
【図２】
2010530191.tif 000004
【図３】
2010530191.tif 000005
【図４】
2010530191.tif 000006
【図５】
2010530191.tif 000007
【図６】
2010530191.tif 000008
【図７】
2010530191.tif 000009
【図８】
2010530191.tif 000010
【図９】
2010530191.tif 000011
【図１０】
2010530191.tif 000012
【図１１】
2010530191.tif 000013
【図１２】
2010530191.tif 000014
【図１３】
2010530191.tif 000015
【図１４】
2010530191.tif 000016
【国際調査報告】
2010530191.tif 000017
2010530191.tif 000018
2010530191.tif 000019